(57)【要約】      （修正有）【課題】複数の眼鏡を簡単かつ容易に掛け置きすることができ、使用性の向上を図ることが可能な眼鏡掛け置き具を提供する。【解決手段】眼鏡掛け置き具は、載置部となるベース２と、複数の眼鏡が掛けられるように長手方向に沿って形成された眼鏡支持部となる頂部３３と、頂部の両側であって、ベースに向かって末広がり状に形成された傾斜面３（第１の傾斜面３１、第２の傾斜面３２）と、ベース側に設けられた収納箱４と、を備えている。頂部に眼鏡の鼻パッド部又は眼鏡のブリッジ部が支持され、収納箱は、長手方向に沿ってスライド可能であり、長さが１４０〜１８０ｍｍ、高さが１４５〜１６０ｍｍ、幅が７０〜１００ｍｍ、頂部の傾斜角度が２５〜８０度であることが好ましい。【選択図】図３
0003209923.tif 000002
【実用新案登録請求の範囲】
【請求項１】
載置部となるベースと、
複数の眼鏡が掛けられるように長手方向に沿って形成された眼鏡支持部となる頂部と、
前記頂部の両側であって、前記ベースに向かって末広がり状に形成された傾斜面と、
前記ベース側に設けられた収納箱と、
を具備することを特徴とする眼鏡掛け置き具。
【請求項２】
前記頂部に眼鏡の鼻パッド部又は眼鏡のブリッジ部が支持されることを特徴とする請求項１に記載の眼鏡掛け置き具。
【請求項３】
前記収納箱は、長手方向に沿ってスライド可能であることを特徴とする請求項１又は請求項２に記載の眼鏡掛け置き具。
【請求項４】
長さ寸法が１４０ｍｍ〜１８０ｍｍ、高さ寸法が１４５ｍｍ〜１６０ｍｍ、幅寸法が７０ｍｍ〜１００ｍｍである眼鏡掛け置き具であって、
前記頂部の傾斜角度が２５度〜８０度であることを特徴とする請求項１から請求項３のいずれか一項に記載の眼鏡掛け置き具。
【請求項５】
置物としての外観をなしていることを特徴とする請求項１から請求項４のいずれか一項に記載の眼鏡掛け置き具。
【考案の詳細な説明】
【技術分野】
【０００１】
本考案は、眼鏡を容易に掛け置きできる眼鏡掛け置き具に関する。
【背景技術】
【０００２】
従来、一時的又は就寝時などにおいて、取り外した眼鏡を保管する場合には、眼鏡を折畳んで保管ケースに収納することが行われている。
【０００３】
しかしながら、この場合、眼鏡の保管時には眼鏡を折畳んで収納し、また、眼鏡の使用時には、テンプル（眼鏡のつるの部分）を開いて使用する必要があり、保管時及び使用時に煩わしさを感じるという問題が発生する。
このため、眼鏡を折畳むことなく掛け置きできる眼鏡スタンドや掛置具が提案されている（特許文献１から特許文献５参照）。
【先行技術文献】
【特許文献】
【０００４】
【特許文献１】実開昭６２−１９６０５８号公報
【特許文献２】実用新案登録第３１０２８２７号公報
【特許文献３】実用新案登録第３１２９２６１号公報
【特許文献４】実用新案登録第３１３５４３０号公報
【特許文献５】実用新案登録第３１６１４０５号公報
【考案の概要】
【考案が解決しようとする課題】
【０００５】
しかしながら、上記のような眼鏡スタンドなどにおいては、近視用や老眼用など複数の眼鏡を掛け置きする場合に、簡単かつ容易に行うことが難しく、また、使用性の向上を図ることが困難である。
【０００６】
本考案は、上記課題に鑑みなされたもので、複数の眼鏡を簡単かつ容易に掛け置きすることができ、使用性の向上を図ることが可能な眼鏡掛け置き具を提供することを目的とする。
【課題を解決するための手段】
【０００７】
請求項１に記載の眼鏡掛け置き具は、載置部となるベースと、複数の眼鏡が掛けられるように長手方向に沿って形成された眼鏡支持部となる頂部と、前記頂部の両側であって、前記ベースに向かって末広がり状に形成された傾斜面と、前記ベース側に設けられた収納箱と、を具備することを特徴とする。
頂部は、頂点部のみならず、頂点部を含み、頂点部からベースに向かう所定の傾斜面の領域を含む範囲を意味している。
【０００８】
請求項２に記載の眼鏡掛け置き具は、請求項１に記載の眼鏡掛け置き具において、前記頂部に眼鏡の鼻パッド部又は眼鏡のブリッジ部が支持されることを特徴とする。
【０００９】
請求項３に記載の眼鏡掛け置き具は、請求項１又は請求項２に記載の眼鏡掛け置き具において、前記収納箱は、長手方向に沿ってスライド可能であることを特徴とする。
【００１０】
請求項４に記載の眼鏡掛け置き具は、請求項１から請求項３のいずれか一項に記載の眼鏡掛け置き具において、長さ寸法が１４０ｍｍ〜１８０ｍｍ、高さ寸法が１４５ｍｍ〜１６０ｍｍ、幅寸法が７０ｍｍ〜１００ｍｍである眼鏡掛け置き具であって、前記頂部の傾斜角度が２５度〜８０度であることを特徴とする。
【００１１】
請求項５に記載の眼鏡掛け置き具は、請求項１から請求項４のいずれか一項に記載の眼鏡掛け置き具において、置物としての外観をなしていることを特徴とする。
置物としては、例えば、室内を装飾するテント型や民家型の置物がある。眼鏡掛け置き具を装飾物として用いることが期待できる。
【考案の効果】
【００１２】
本考案によれば、複数の眼鏡を簡単かつ容易に掛け置きすることができ、使用性の向上を図ることが可能な眼鏡掛け置き具を提供することができる。
【図面の簡単な説明】
【００１３】
【図１】本考案の第１の実施形態に係る眼鏡掛け置き具を示す斜視図である。
【図２】同眼鏡掛け置き具を示し、（ａ）は正面図、（ｂ）は側面図である。
【図３】同眼鏡掛け置き具において、眼鏡を掛け置きした状態を示す斜視図である。
【図４】同眼鏡掛け置き具において、収納箱を引き出した状態を示す斜視図である。
【図５】同眼鏡掛け置き具において、収納箱に小物を収納した状態を示す斜視図である。
【図６】本考案の第２の実施形態に係る眼鏡掛け置き具を示す斜視図である。
【図７】同眼鏡掛け置き具を示し、（ａ）は正面図、（ｂ）は側面図である。
【図８】同眼鏡掛け置き具において、眼鏡を掛け置きした状態を示す斜視図である。
【考案を実施するための形態】
【００１４】
以下、本考案の第１の実施形態に係る眼鏡掛け置き具について図１から図５を参照して説明する。図１は、眼鏡掛け置き具を示す斜視図、図２は、眼鏡掛け置き具を示す正面図及び側面図、図３は、眼鏡掛け置き具に眼鏡を掛け置きした状態を示す斜視図である。また、図４は、眼鏡掛け置き具において収納箱を引き出した状態を示す斜視図、図５は、収納箱に眼鏡等の小物を収納した状態を示す斜視図である。なお、各図において、同一部分には同一符号を付し、重複する説明は省略する。
本実施形態の眼鏡掛け置き具は、登山のキャンプに用いられるテントを模したテント型のものであり、室内を装飾する置物としての外観を有している。
【００１５】
図１及び図２に示すように眼鏡掛け置き具１は、木製であり、板状の木材から形成されており、ベース２と、傾斜面３と、収納箱４とを備えている。なお、眼鏡掛け置き具１を構成する材料は、木材に限らず、合成樹脂やブリキ材などの金属板を用いることができる。
ベース２は、略長方形状であって、平板状に形成されている。ベース２は、載置面に置かれる載置部となる部分である。
【００１６】
傾斜面３は、第１の傾斜面３１及び第２の傾斜面３２を有している。これら第１の傾斜面３１及び第２の傾斜面３２の一端側は、相互に結合されて頂部３３をなしており、他端側は、ベース２の対向する長辺に結合されている。
【００１７】
したがって、長手方向に沿って頂部３３が形成され、頂部３３の両側からベース２に向かって末広がり状に傾斜面３が形成され、つまり、図２（ｂ）に代表して示すように、側面形状が略三角形状に形成されている。
【００１８】
なお、部材の結合は、適宜接着剤等を用いて行うことができる。また、ここで前記頂部３３は、頂点部３３ａのみならず、頂点部３３ａを含み、頂点部３３ａからベース２に向かう所定の傾斜面３の領域を含む範囲を指している。頂部３３は眼鏡の支持部となる部分であり、この頂部３３の表面には、弾力性を有するゴム、スポンジやクッション材を張設するのが望ましい。
【００１９】
収納箱４は、ベース２側に配置されている。収納箱４は、上面側を開放した略直方体形状の箱体であり、ベース２の長手方向に沿ってスライド（引き出し）可能に配設されている。
【００２０】
詳しくは、収納箱４は、ベース２の内側と第１の傾斜面３１及び第２の傾斜面３２の末広がり状の内側に沿って側面が略台形状に形成されている。これによって、収納箱４は、傾斜面３の末広がり状の部分に形成されるため、広いスペースが確保される収納スペース４１を有することができる。この収納スペース４１には、フェルト等の布材料を張設するのが好ましい。
【００２１】
また、収納箱４の前面側は、ストッパ蓋４２として構成されており、収納箱４をスライドさせて閉める場合、第１の傾斜面３１及び第２の傾斜面３２の側端部に当接して、収納箱４のスライド移動を停止させる機能を果たすようになっている。さらに、ストッパ蓋４２の略中央部には、収納箱４をスライド移動させる場合に、指で摘む操作摘み４３が設けられている。具体的には、操作摘み４３はヒートン（金具）であるが、格別特定の部材に限定されるものではない。
次に、図２を参照して本実施形態の眼鏡掛け置き具を製作する場合の寸法関係について、その一例を説明する。
【００２２】
まず、頂部３３の傾斜角度αは、眼鏡を安定的に支持するには２５度〜４０度が好ましく、本実施形態では３０度に設定している。長さ寸法Ｌは１４０ｍｍ〜１８０ｍｍ、高さ寸法Ｈは１４５ｍｍ〜１６０ｍｍ、幅寸法Ｗ（第１の傾斜面３１と第２の傾斜面３２との外側最大幅）は７０ｍｍ〜１００ｍｍが好ましく、本実施形態では長さ寸法Ｌは１５０ｍｍ、高さ寸法Ｈは１４５ｍｍであり、幅寸法Ｗは８０ｍｍである。また、頂部３３の幅寸法Ｗ１は約８ｍｍ、収納箱４の高さ寸法ｈは３０ｍｍであり、各部材の板厚寸法は４ｍｍである。但し、ベース２及び収納箱４の板厚寸法は２ｍｍに設定されている。なお、これら寸法関係は格別限定されるものではなく、適宜変更可能である。
続いて、本実施形態の眼鏡掛け置き具の使用状態について、図３を参照して説明する。
【００２３】
一時的又は就寝時などにおいて、取り外した眼鏡Ｇを保管する場合、眼鏡Ｇを傾斜面３の頂部３３に支持させて掛け置きして保管することができる。この場合、取り外した眼鏡ＧのテンプルＴを折畳むことなく開いたまま、頂部３３に眼鏡Ｇの鼻パッド部Ｐを当接させて支持することができる。具体的には、一対の鼻パッド部Ｐが頂点部３３ａを跨って第１の傾斜面３１及び第２の傾斜面３２に当接され支持されるようになる。この場合、頂部３３の傾斜角度αは、眼鏡Ｇの鼻パッド部Ｐが第１の傾斜面３１及び第２の傾斜面３２に当接されて支持されるための一条件となるので適切な角度に設定する必要がある。
【００２４】
なお、眼鏡Ｇのブリッジ部Ｂが頂部３３（この場合には頂部３３における頂点部３３ａ）に支持されるように構成される場合であってもよい。例えば、鼻パッド部がレンズを支えるリムと一体型のプラスチック製フレームの眼鏡にあっては、ブリッジ部が頂部３３に支持されるようになる。つまり、頂部３３に眼鏡Ｇの鼻パッド部Ｐ又はブリッジ部Ｂが支持されるように構成されていればよい。
【００２５】
以上のように本実施形態によれば、眼鏡ＧのテンプルＴを折畳むことなく開いたまま支持することができるので、眼鏡Ｇを簡単かつ容易に掛け置きできる。また、眼鏡Ｇを使用する場合にも即座に使用することが可能となる。したがって、眼鏡Ｇの交換を容易に行うことができる。したがって、複数の眼鏡を頻繁に掛け替える者にとって、掛け替えの煩わしさを軽減することができる。
【００２６】
さらに、複数の眼鏡Ｇを掛け置きする場合には、長手方向に沿った頂部３３に支持されるので、眼鏡Ｇ同士が重なり合うことなく安定して掛け置きが可能となる。
【００２７】
また、頂部３３に弾力性を有する材料を張設することにより、眼鏡Ｇの鼻パッド部Ｐやブリッジ部Ｂの損傷を防いで鼻パッド部Ｐ又はブリッジ部Ｂが安定して当接されるようになる。
【００２８】
ところで、一般的な眼鏡Ｇの平均的サイズに着目すると、成人女性及び成人男性の眼鏡Ｇの平均的サイズは、テンプルＴの長さ寸法ＴＬは１４０ｍｍ〜１４５ｍｍ、テンプルＴ間の幅寸法ＴＷは１３０ｍｍ〜１５０ｍｍ、テンプルＴの先セルＭ（テンプルＴの先端部分）は内側に屈曲しており、この先セルＭ間の幅寸法は１０５ｍｍ〜１３０ｍｍと考えられる。この寸法関係に基づくと、眼鏡掛け置き具１の高さ寸法Ｈは１４５ｍｍ以上、幅寸法Ｗは１０５ｍｍ未満であれば、眼鏡ＧのテンプルＴの先セルＭが載置面に触れにくく、また、傾斜面３に触れることなく安定して掛け置きすることができる。既述のように眼鏡掛け置き具１は、この寸法関係を満たすものとなっている。
【００２９】
また、図４及び図５に示すように収納箱４は、操作摘み４３を操作してベース２の長手方向に沿ってスライド（引き出し）可能となっている。このため、収納箱４には、眼鏡Ｇ、眼鏡ふきＣ、眼鏡補修用のミニドライバー等の眼鏡に関連する小物を収納しておくことが可能で、必要に応じて取り出して用いることができ、使い勝手の向上が期待できる。
【００３０】
次に、本考案の第２の実施形態に係る眼鏡掛け置き具について図６から図８を参照して説明する。図６は、眼鏡掛け置き具を示す斜視図、図７は、眼鏡掛け置き具を示す正面図及び側面図、図８は、眼鏡掛け置き具に眼鏡を掛け置きした状態を示す斜視図である。なお、第１の実施形態と同一又は相当部分には同一符号を付し、重複する説明は省略する。
【００３１】
本実施形態の眼鏡掛け置き具は、民家を模した民家型のものであり、室内を装飾する置物としての外観を有している。第１の実施形態がテント型であるのに対し、本実施形態では民家型であるが、基本的には第１の実施形態と同様な構成である。
【００３２】
図１及び図２に示すように眼鏡掛け置き具１は、木製であり、ベース２と、傾斜面３と、周囲面５と、収納箱４とを備えている。なお、眼鏡掛け置き具１を構成する材料は、木材に限らず、合成樹脂やブリキ材などの金属板を用いることができる。
ベース２は、略長方形状であって、平板状に形成されており、載置面に置かれる載置部となる部分である。
【００３３】
傾斜面３は、民家の屋根に相当する部分であり、第１の傾斜面３１及び第２の傾斜面３２を有している。これら第１の傾斜面３１及び第２の傾斜面３２の一端側は、相互に結合されて頂部３３をなしており、他端側は、周囲面５の上端部に結合されている。
【００３４】
したがって、長手方向に沿って頂部３３が形成され、頂部３３の両側からベース２に向かって末広がり状に傾斜面３が形成されている。また、傾斜面３は、民家の屋根に相当する部分であるため、屋根瓦を模して個々の屋根瓦を交互にずらして配置されているようにデザインされている。
【００３５】
なお、部材の結合は、適宜接着剤等を用いて行うことができる。前記頂部３３は、頂点部３３ａのみならず、頂点部３３ａを含み、頂点部３３ａからベース２に向かう所定の傾斜面３の領域を含む範囲を指している。頂部３３は眼鏡の支持部となる部分であり、この頂部３３の表面には、弾力性を有するゴム、スポンジやクッション材を張設するのが望ましい。
周囲面５は、民家を構成する周囲の壁に相当する部分であり、ベース２と傾斜面３との間において周囲を囲むように形成されている。
【００３６】
収納箱４は、周囲面５の側面におけるベース２側に配置されている。第１の実施形態と同様に、収納箱４は、上面側を開放した略直方体形状の箱体であり、ベース２の長手方向に沿ってスライド（引き出し）可能に配設されており、その収納スペース４１には、フェルト等の布材料を張設するのが好ましい。また、収納箱４の前面側には、指掛け孔４４が形成されている。この指掛け孔４４に指をかけて収納箱４をスライド操作することができる。
次に、図７を参照して本実施形態の眼鏡掛け置き具を製作する場合の寸法関係について、その一例を説明する。
【００３７】
頂部３３の傾斜角度αは、眼鏡を安定的に支持するには４０度〜８０度が好ましく、本実施形態では８０度に設定している。長さ寸法Ｌは１４０ｍｍ〜１８０ｍｍ、高さ寸法Ｈは１４５ｍｍ〜１６０ｍｍ、幅寸法Ｗ（第１の傾斜面３１と第２の傾斜面３２との外側最大幅）は７０ｍｍ〜１００ｍｍが好ましく、本実施形態では長さ寸法Ｌは１７８ｍｍ、高さ寸法Ｈは１５４ｍｍであり、幅寸法Ｗは９２ｍｍである。また、頂部３３の幅寸法Ｗ１は約４ｍｍ、収納箱４の高さ寸法ｈは５５ｍｍであり、各部材の板厚寸法は４ｍｍである。なお、これら寸法関係は格別限定されるものではなく、適宜変更可能である。一般的な眼鏡Ｇの平均的サイズを勘案すると、眼鏡掛け置き具１の高さ寸法Ｈは１４５ｍｍ以上、幅寸法Ｗは１０５ｍｍ未満であれば、眼鏡ＧのテンプルＴの先セルＭが載置面に触れにくく、また、傾斜面３に触れることなく安定して掛け置きすることができる。
次に、本実施形態の眼鏡掛け置き具の使用状態について、図８を参照して説明する。
【００３８】
一時的又は就寝時などにおいて、取り外した眼鏡Ｇを保管する場合、眼鏡Ｇを傾斜面３の頂部３３に支持させて掛け置きして取り外した眼鏡ＧのテンプルＴを折畳むことなく開いたまま、頂部３３に眼鏡Ｇの鼻パッド部Ｐを当接させて支持することができる。具体的には、一対の鼻パッド部Ｐが頂点部３３ａを跨って第１の傾斜面３１及び第２の傾斜面３２に当接され支持されるようになる。
【００３９】
なお、眼鏡Ｇのブリッジ部Ｂが頂部３３（この場合には頂部３３における頂点部３３ａ）に支持されるように構成される場合であってもよく、つまり、頂部３３に眼鏡Ｇの鼻パッド部Ｐ又はブリッジ部Ｂが支持されるように構成されていればよい。
以上のように本実施形態の構成によれば、第１の実施形態と同様な効果を奏することができる。
【００４０】
なお、本考案は、上記実施形態の構成に限定されることなく、考案の要旨を逸脱しない範囲で種々の変形が可能である。また、上記実施形態は、一例として提示したものであり、考案の範囲を限定することは意図していない。これら新規な実施形態は、その他の様々な形態で実施されることが可能であり、種々の省略、置き換え、変更を行うことができる。これら実施形態やその変形は、考案の範囲や要旨に含まれるとともに、実用新案登録請求の範囲に記載された考案とその均等の範囲に含まれる。
例えば、眼鏡掛け置き具にオルゴール等の機能を持たせるようにしてもよい。
【符号の説明】
【００４１】
１・・・・眼鏡掛け置き具
２・・・・ベース
３・・・・傾斜面
３１・・・第１の傾斜面
３２・・・第２の傾斜面
３３・・・頂部
３３ａ・・頂点部
４・・・・収納箱
５・・・・周囲面
【図１】
0003209923.tif 000003
【図２】
0003209923.tif 000004
【図３】
0003209923.tif 000005
【図４】
0003209923.tif 000006
【図５】
0003209923.tif 000007
【図６】
0003209923.tif 000008
【図７】
0003209923.tif 000009
【図８】
0003209923.tif 000010